(57)【特許請求の範囲】
【請求項１】
浴槽のフランジ部の垂下片の裏面と、浴槽の上端部であってフランジ部の下側の部分に形成された浴槽リブとの間に、浴槽側の内エプロンの上端部及び洗い場側の化粧エプロンの上端部を挿入して取り付けるエプロン取付構造であって、フランジ部の下面の上記垂下片と浴槽リブとの間の部分にエプロン駒を取り付け、前記エプロン駒はフランジ部の下面に取付けられる取付部を備え、取付部は取付部のフランジ部長手方向の両端部から垂下された側片部を備え、側片部は洗い場側に化粧エプロンの浴槽側の端部が当接する当接部を備え、側片部は浴槽側に内エプロンが挿入される際のガイドとなるガイド部を備え、両端部に備えられている側片部の間には隙間である逃げ凹所を備え、化粧エプロンの上端部に穿設された挿通孔に、板バネに基端部が固定され先端部に押え部が形成された挿通部が挿通されて、板バネと押え部とで化粧エプロンの上端部を挟持し、化粧エプロンの上端部と該上端部に設けた板バネとをフランジ部の垂下片の裏面とエプロン駒の当接部との間に圧入し、逃げ凹所に押え部を逃がすと共に、内エプロンの上端部をエプロン駒のガイド部にガイドさせて浴槽リブと当接部との間に挿入して成ることを特徴とするエプロン取付構造。
【発明の詳細な説明】
【技術分野】
【０００１】
本発明は、エプロン取付構造に関するものである。
【背景技術】
【０００２】
従来から、浴槽のフランジ部にエプロンの上端部を取り付けるエプロン取付構造としては、例えば、特許文献１記載の発明のように、フランジ部の垂下片の裏面にゴム等からなる弾性体を装着して、エプロンの上端部の後端縁を、フランジ部の裏面側で浴槽の上端部に設けた浴槽リブに圧接するものが知られている。そして、エプロンを内エプロンと外側の化粧エプロンの二重で構成するものが知られている。
【０００３】
二重構造のエプロンに特許文献１記載のエプロン取付構造を適用した場合、図３に示すように、内エプロン３及び化粧エプロン４の上端部をそれぞれフランジ部２の垂下片２１の裏面と浴槽リブ１１との間に挿入して弾性体により圧接することとなる。
【０００４】
しかしながら、エプロンの取り外しを繰り返し行うと弾性体が劣化して弾性力が低下し、エプロンのガタつきが発生するため、板バネ６を用いるものが考えられるが、弾性体を板バネ６に置き換えるだけでは板バネ６の設置スペースが不足するものであった。そこで、板バネ６の設置スペースを広くすることが考えられるが、この場合には、内エプロン３と化粧エプロン４の上端部をフランジ部２の垂下片２１の裏面と浴槽リブ１１との間に挿入して板バネ６で圧接させる作業がし難いものであった。
【特許文献１】特開２００２−３３６１５１号公報
【発明の開示】
【発明が解決しようとする課題】
【０００５】
本発明は上記従来の問題点に鑑みて発明したものであって、その目的とするところは、内エプロンと化粧エプロンの上端部をそれぞれフランジ部の垂下片の裏面と浴槽リブとの間に挿入して二重のエプロンを取り付けるエプロン取付構造であって、内エプロン及び化粧エプロンの上端部をフランジ部の垂下片の裏面と浴槽リブとの間に圧接させるためにゴム等の弾性体を用いずにすみ、弾性体が劣化してガタつきが生じたりせず、また、内エプロン及び化粧エプロンの上端部を垂下片と浴槽リブとの間に挿入する作業がし易いエプロン取付構造を提供することを課題とするものである。
【課題を解決するための手段】
【０００６】
上記課題を解決するために請求項１に係る発明は、浴槽１のフランジ部２の垂下片２１の裏面と、浴槽１の上端部であってフランジ部２の下側の部分に形成された浴槽リブ１１との間に、浴槽１側の内エプロン３の上端部及び洗い場側の化粧エプロン４の上端部を挿入して取り付けるエプロン取付構造であって、フランジ部２の下面の上記垂下片２１と浴槽リブ１１との間の部分にエプロン駒５を取り付け、前記エプロン駒５はフランジ部２の下面に取付けられる取付部５４を備え、取付部５４は取付部５４のフランジ部２長手方向の両端部から垂下された側片部５５を備え、側片部５５は洗い場側に化粧エプロン４の浴槽１側の端部が当接する当接部５１を備え、側片部５５は浴槽１側に内エプロン３が挿入される際のガイドとなるガイド部５２を備え、両端部に備えられている側片部５５の間には隙間である逃げ凹所５３を備え、化粧エプロン４の上端部に穿設された挿通孔４０に、板バネ６に基端部が固定され先端部に押え部６３が形成された挿通部６２が挿通されて、板バネ６と押え部６３とで化粧エプロン４の上端部を挟持し、化粧エプロン４の上端部と該上端部に設けた板バネ６とをフランジ部２の垂下片２１の裏面とエプロン駒５の当接部５１との間に圧入し、逃げ凹所５３に押え部６３を逃がすと共に、内エプロン３の上端部をエプロン駒５のガイド部５２にガイドさせて浴槽リブ１１と当接部５１との間に挿入して成ることを特徴とするものである。
【０００７】
このような構成とすることで、従来のゴム等の弾性体を用いずにすんで弾性体が劣化してガタつきが生じてしまったり、内エプロン３及び化粧エプロン４の上端部を垂下片２１と浴槽リブ１１との間に挿入する作業がし難いといったことがないものである。
【発明の効果】
【０００８】
本発明にあっては、内エプロン及び化粧エプロンの上端部をフランジ部の垂下片の裏面と浴槽リブとの間に圧接させるためにゴム等の弾性体を用いずにすみ、弾性体が劣化してガタつきが生じたりせず、また、内エプロン及び化粧エプロンの上端部を垂下片と浴槽リブとの間に挿入する作業がし易いものである。
【発明を実施するための最良の形態】
【０００９】
以下、本発明の一実施形態について図１乃至図３に基づいて説明する。
【００１０】
本発明は、図に示すように、浴槽１のフランジ部２にエプロンの上端部が取り付けられるエプロン取付構造であって、フランジ部２の垂下片２１の裏面と、浴槽１の上端部であってフランジ部２の下側の部分に形成された浴槽リブ１１との間に、エプロンの上端部が挿入されて取り付けられる。
【００１１】
エプロンは、本発明においては浴槽１側の内エプロン３と、洗い場側の化粧エプロン４とからなる二重構造となるものである。化粧エプロン４の上端部には、洗い場側に板バネ６が取り付けられる。板バネ６は、側面視略ヘ字状をしたもので、化粧エプロン４の上端部に穿設した挿通孔に、板バネ６に固定された板バネ取付部６１の挿通部６２を挿通させて、板バネ取付部６１の押え部６３と板バネ６とで化粧エプロン４の上端部を浴槽１側と洗い場側とから挟持している。
【００１２】
そして本発明では、フランジ部２の下面の上記垂下片２１と浴槽リブ１１との間の部分にエプロン駒５を取り付けるものである。エプロン駒５は、フランジ部２の垂下片２１と浴槽リブ１１との間の長手方向に沿って、フランジ部２の下面にエプロン駒５の後述する取付部５４接着剤等により複数固定される。
【００１３】
エプロン駒５は、図２に示すように、洗い場側に形成され化粧エプロン４の裏面（洗い場側から見た裏面であって浴槽１側の面）が当接する当接部５１と、浴槽１側に形成され内エプロン３が挿入される際のガイドとなるガイド部５２と、洗い場側に開放され板バネ取付部６１との干渉を避けるための逃げ凹所５３とを備えている。本実施形態では、平面視略矩形状をした取付部５４と、取付部５４のフランジ部２長手方向における両端部から垂下され、側面視すなわちフランジ部２の長手方向視において下方に向けて幅狭となる側片部５５と、側片部５５の上半部の浴槽１側の端部に形成される連結部５６と、からなり、側片部５５の洗い場側の端部が化粧エプロン４の裏面が当接する当接部５１となり、側片部５５の浴槽１側の端部が内エプロン３が挿入される際のガイド部５２となり、側片部５５間の空間が押え部６３を逃がす逃げ凹所５３となっている。ガイド部５２は、当接部５１の浴槽１側の面において下方程洗い場側に傾斜する傾斜面として形成してある。
【００１４】
また、エプロンの下端部の取り付けとしては、特に限定されないが、床パンに被係合部（図示せず）を取り付けて、この被係合部にエプロンの下端部に係合した係合部（図示せず）を係合して取り付けることがよく行われている。
【００１５】
エプロンの上端部を取り付けるにあたり、化粧エプロン４と内エプロン３とを別々に取り付けることができて、取り付け作業が容易となる。化粧エプロン４を取り付けるには、板バネ６を上端部に取り付けた状態で、浴槽１のフランジ部２の裏面の下方から上方に向けて、エプロン駒５の洗い場側とフランジ部２の垂下片２１の浴槽１側との間の空間に化粧エプロン４の上端部及び板バネ６を挿入して、板バネ６によりエプロン駒５の当接部５１と垂下片２１との間で突っ張った状態としてガタつきなく取り付け、内エプロン３の上端部をエプロン駒５のガイド部５２に当接してガイドさせて、エプロン駒５の浴槽１側と浴槽リブ１１との間の空間に内エプロン３の上端部を挿入していく。なお、内エプロン３の上端部とフランジ部２の下面との間にパッキンを設けてもよい。
【００１６】
上記構成によれば、内エプロン３及び化粧エプロン４の上端部をフランジ部２の垂下片２１の裏面と浴槽リブ１１との間に圧接させるための従来のようなゴム等の弾性体を用いずにすみ、弾性体が劣化してガタつきが生じたりしないものである。また、内エプロン３及び化粧エプロン４の上端部を垂下片２１と浴槽リブ１１との間に挿入する作業がし易いものである。
【図面の簡単な説明】
【００１７】
【図１】本発明の一実施形態の要部側断面図である。
【図２】同上におけるエプロン駒を示し、（ａ）は洗い場側となる方から見た斜視図であり、（ｂ）は浴槽側となる方から見た斜視図である。
【図３】従来例の要部側断面図である。
【符号の説明】
【００１８】
１    浴槽
１１  浴槽リブ
２    フランジ部
２１  垂下片
３    内エプロン
４    化粧エプロン
４０  挿通孔
５    エプロン駒
５１  当接部
５２  ガイド部
５３  逃げ凹所
５４  取付部
５５  側片部
５６  連結部
６    板バネ
６１  板バネ取付部
６２  挿通部
６３  押え部
【図１】
0005174489.tif 000002
【図２】
0005174489.tif 000003
【図３】
0005174489.tif 000004